(57)【要約】【課題】  ステータコアの反りや撓み等の変形を防止して、薄型化を図ると共に回転特性の向上化を図ること。【解決手段】  軸線Ｌ回りに回転する軸体１０と、該軸体１０に保持された永久磁石１１と、該永久磁石１１の周囲を囲むように配された環状部２０と、該環状部２０に基端が固定された歯極部２１と、該歯極部２１の先端に形成されて永久磁石１１の外周面１１ａに対向する対向面２２ａを有する折曲部２２とを有するステータコア１２と、歯極部２１にそれぞれ巻回されたコイル１３と、環状部２０を支持すると共にコイル１３の断面面積よりも大きな開口面積を有する貫通孔２６が形成されたベース１４とを備え、ステータコア１２が、コイル１３の一部が貫通孔２６内に配された状態でベース１４に支持されており、ステータコア１２のうち少なくとも折曲部２２とベース１４とが、非導電性の接着剤２７により接着固定されているモータ２を提供する。【選択図】  図１
2006271043.tif 000002
【特許請求の範囲】
【請求項１】
軸線回りに回転可能に支持された軸体と、
該軸体に保持された環状の永久磁石と、
該永久磁石の周囲を囲むように配された環状部と、該環状部に基端が固定されると共に前記永久磁石側に向かう半径方向に延出するよう形成され、前記軸線を中心として所定角度毎に複数設けられた歯極部と、該複数の歯極部の先端にそれぞれ略直角に折り曲げられて形成され、前記永久磁石の外周面に対向する対向面を有する折曲部とを有するステータコアと、
複数の前記歯極部にそれぞれ巻回された励磁可能なコイルと、
前記環状部を支持すると共に前記コイルの断面面積よりも大きな開口面積を有する貫通孔が形成されたベースとを備え、
前記ステータコアは、前記コイルの一部が前記貫通孔内に配された状態で前記ベースに支持されており、
前記ステータコアのうち少なくとも前記折曲部と前記ベースとが、非導電性の接着剤により接着固定されていることを特徴とするモータ。
【請求項２】
請求項１に記載のモータにおいて、
前記接着剤が、前記折曲部及び前記ベースと前記コイルとを接着固定することを特徴とするモータ。
【請求項３】
請求項１又は２に記載のモータにおいて、
前記接着剤が、前記貫通孔を塞ぐように設けられていることを特徴とするモータ。
【請求項４】
請求項１から３のいずれか１項に記載のモータと、
前記軸体に設けられ、各種情報を記録可能な記録媒体を保持する保持部と、
前記軸体を前記軸線回りに回転可能に支持する軸受部とを備えることを特徴とする記録媒体駆動装置。
【発明の詳細な説明】
【技術分野】
【０００１】
本発明は、ＨＤ（ハードディスク）等の記録媒体を回転駆動するモータ及び該モータを有する記録媒体駆動装置に関するものである。
【背景技術】
【０００２】
近年、ハードディスクドライブ装置（ＨＤＤ）を用いた情報記録再生装置は、携帯音楽再生装置や携帯電話機等に採用され始めている。特に、携帯型の情報記録再生装置は、その利便性から今後の主流となるものであり、さらなる小型化及び薄型化が求められている。これに伴い、ＨＤ（ハードディスク）を駆動するスピンドルモータの小型化及び薄型化の改良がなされてきた。
スピンドルモータを小型化及び薄型化する方法としては、従来より様々な方法や構成が提案されている。例えば、超薄型の電磁鋼板やアモルファス鋼板を積層することでステータコアの薄型化を図るモータの積層コアが知られている（例えば、特許文献１参照）。
また、ステータコアの塗装方法を改良することで、モータの小型化及び薄型化を図るモータ用ステータが知られている（例えば、特許文献２参照）。
【０００３】
一方、モータを小型化及び薄型化した場合、モータの剛性が低下してしまい、モータの回転特性（振動特性）に影響を与える恐れがある。そこで、このような不都合をなくすため、振動緩衝部を設けることで、振動特性を向上させ、共振等の発生を防止したモータが知られている（例えば、特許文献３参照）。これにより、モータの剛性低下に伴う振動発生を抑えることができるので、モータの小型化を図ることができる。
また、ステータコアを所定位置に位置決めさせる径方向位置決め部及び軸方向位置決め部を設けることで、ステータコアを高精度に位置決めさせることができると共に、径方向位置決め部及び軸方向位置決め部を有する固定部材の剛性を高めることができるモータが知られている（例えば、特許文献４参照）。これにより、機械的剛性の低下を抑えることができるので、モータの小型化を図ることができる。
【０００４】
上述したいずれの場合も、モータの小型化及び薄型化を図ることで、情報記録再生装置全体の小型化及び薄型化を行っている。また、いずれのモータにおいても、ステータコアは、一般的な積層構造が採用されている。
【特許文献１】特開２０００−５７７４７号公報
【特許文献２】特開２００１−１０３６８６号公報
【特許文献３】特開２００３−２４４８９０号公報
【特許文献４】特開２００４−１３５４６７号公報
【発明の開示】
【発明が解決しようとする課題】
【０００５】
しかしながら、上記特許文献１から４に記載された従来のものは、以下の課題が残されている。
即ち、情報記録再生装置をより小型及び薄型にして、形態性や利便性等をさらに高めるためには、スピンドルモータ等のモータも同様に、より小型化及び薄型化を図る必要がある。そのためには、ステータコアのさらなる薄型化が不可欠となり、ステータコアの単層化も視野に入れる必要がある。ところが、ステータコアをより薄型、例えば、単層化した場合には、反りや撓みが生じてしまい、その結果、モータの回転特性に影響を与えてしまう恐れがあった。
特に、コイルが巻回される歯極部は、基端部が環状の連結部に支持された片持ち状態であるので、反りや撓みが顕著に発生し易い。その結果、ステータコア全体に反りや撓みが生じる恐れがある。
【０００６】
ここで、特許文献１及び２に記載されているモータは、モータの小型化を図るものとはいえ、ステータコアの積層を前提とするものであり、その上で積層方法や塗装方法を工夫している。従って、上述したような、ステータコア自身の、例えば、単層化した場合における反りや撓みを解消することは困難なものであった。
また、特許文献３及び４に記載されているモータは、モータの剛性低下を抑えることで、モータの小型化を図るものであり、やはり同様にステータコア自身の、例えば、単層化した場合における反りや撓みを解消することは困難なものであった。また、これらモータも、ステータコアは積層型を前提としている。
【０００７】
本発明は、このような事情に考慮してなされたもので、その目的は、ステータコアの反りや撓み等の変形を防止して、薄型化を図ると共に回転特性の向上化を図ることができる
モータ及び該モータを有する記録媒体駆動装置を提供することである。
【課題を解決するための手段】
【０００８】
本発明は、前記課題を解決するために以下の手段を提供する。
本発明のモータは、軸線回りに回転可能に支持された軸体と、該軸体に保持された環状の永久磁石と、該永久磁石の周囲を囲むように配された環状部と、該環状部に基端が固定されると共に前記永久磁石側に向かう半径方向に延出するよう形成され、前記軸線を中心として所定角度毎に複数設けられた歯極部と、該複数の歯極部の先端にそれぞれ略直角に折り曲げられて形成され、前記永久磁石の外周面に対向する対向面を有する折曲部とを有するステータコアと、複数の前記歯極部にそれぞれ巻回された励磁可能なコイルと、前記環状部を支持すると共に前記コイルの断面面積よりも大きな開口面積を有する貫通孔が形成されたベースとを備え、前記ステータコアが、前記コイルの一部が前記貫通孔内に配された状態で前記ベースに支持されており、前記ステータコアのうち少なくとも前記折曲部と前記ベースとが、非導電性の接着剤により接着固定されていることを特徴とするものである。
【０００９】
この発明に係るモータにおいては、コイルに所定の電流、例えば、三相交流電流を供給することで、コイルを励磁させて磁界を発生させる。この磁界により、永久磁石は、軸体と共に軸線回りに回転を行う。特に、ステータコアは、歯極部の先端に折曲部を有しているので、永久磁石とステータコアとの間の磁束の受け渡しが密になる。従って、ステータコアを介してコイルに磁束を集中することができ、回転効率を向上させることができる。
【００１０】
ここで、複数のステータコアは、接着剤によりそれぞれ少なくとも折曲部がベースに接着固定されている。これにより、軸線を中心として所定角度毎に（周方向に向けて等間隔毎に）環状部から半径方向に延出され、環状部に片持ち状態で固定された複数の歯極部は、自由端となる先端側が固定された状態となる。従って、ステータコア自体を極力薄く形成、例えば、単層化したとしても、歯極部の機械的強度を向上させることができ、歯極部の反りや撓み等の変形を極力抑えることができる。
その結果、ステータコア全体の反りや撓み等の変形をなくして剛性を高めることができ、仮に外部から衝撃等が加わったとしても、該衝撃によるステータコアの振動を防止することができる。また、ステータコアを極力薄く形成できるので、モータ全体の薄型化を図ることができると共に、高い剛性を確保しているので回転特性の向上化も図ることができる。また、接着剤は非導電性であるので、磁束に影響がなく回転効率に影響を与えることはない。
【００１１】
更に、ステータコアは、コイルの一部が貫通孔内に収容された状態でベースに支持されているので、コイルの影響を極力少なくして、ステータコアとベースとの距離をできるだけ近接させることができる。このことからもモータ全体の薄型化を図ることができる。特に、この貫通孔を介して上述した接着剤の注入や塗布も行うことができるので、製造が容易になる。
更には、コイルを貫通孔内に収容させることで、ステータコアを所定位置に確実に位置決めすることができる。即ち、貫通孔とコイルとを、ステータコアを位置決めする指標として利用することができる。これにより、折曲部の対向面を、永久磁石の外周面に対して確実に対向配置させることができ、永久磁石とステータコアとの間の磁束の受け渡しをより確実なものにすることができる。このことからも、回転効率を向上でき、信頼性を高めることができる。
【００１２】
また、本発明に係るモータは、上記本発明のモータにおいて、前記接着剤が、前記折曲部及び前記ベースと前記コイルとを接着固定することを特徴とするものである。
【００１３】
この発明に係るモータにおいては、折曲部とベースとコイルとが、接着剤により一体的に接着固定されるので、ステータコアの機械的強度がより向上し、反りや撓み等が発生することを防止することができると共に、回転効率をさらに向上することができる。
【００１４】
また、本発明に係るモータは、上記本発明のモータにおいて、前記接着剤が、前記貫通孔を塞ぐように設けられていることを特徴とするものである。
【００１５】
この発明に係るモータにおいては、接着剤が貫通孔を塞ぐので、コイル全体とベースとが接着固定される。よって、コイルを介して歯極部全体がより強固にベースに固定される。これにより、ステータコアの機械的強度のさらなる向上を図ることができ、反りや撓み等の発生をさらに防止することができる。また、接着剤によりベースの貫通孔が塞がれるので、該貫通孔を介して内部に塵埃等が混入する恐れがない。従って、品質を向上することができると共に信頼性をより高めることができる。
【００１６】
また、本発明の記録媒体駆動装置は、上記本発明のいずれかのモータと、前記軸体に設けられ、各種情報を記録可能な記録媒体を保持する保持部と、前記軸体を前記軸線回りに回転可能に支持する軸受部とを備えていることを特徴とするものである。
【００１７】
この発明に係る記録媒体駆動装置においては、薄型で衝撃等が加わったとしても振動し難いステータコアを有するモータを備えているので、装置全体の薄型化、小型化を図ることができると共に、耐衝撃性を高めて信頼性の向上化を図ることができる。また、回転特性の良いモータを有しているので、軸体及び保持部を介して記録媒体を高精度に回転させることができ、このことからも信頼性を向上することができる。
【発明の効果】
【００１８】
本発明のモータによれば、ステータコアを極力薄く形成したとしても、環状部に片持ち状態で固定されている歯極部の機械的強度を向上させることができ、歯極部の反りや撓み等の変形を極力抑えることができる。その結果、ステータコア全体の変形をなくして剛性を高めることができ、仮にモータに衝撃等が加わったとしても、該衝撃によるステータコアの振動を防止することができる。また、モータ全体の薄型化を図ることができると共に回転特性の向上化を図ることができる。
また、本発明の記録媒体駆動装置によれば、装置全体の薄型化、小型化を図ることができると共に、耐衝撃性を高めて信頼性の向上化を図ることができる。
【発明を実施するための最良の形態】
【００１９】
以下、本発明に係るモータ及び記録媒体駆動装置の一実施形態を、図１から図３を参照して説明する。
本実施形態の記録媒体駆動装置１は、図１に示すように、各種情報を記録可能なハードディスク（記録媒体）ＨＤを軸線Ｌ回りに回転駆動するスピンドルモータ（モータ）２と、該スピンドルモータ２の後述するロータ（軸体）１０に設けられ、上記ハードディスクＨＤを嵌合保持する嵌合部（保持部）３と、ロータ１０を軸線Ｌ回りに回転可能に支持する流体動圧軸受部（軸受部）４とを備えている。
【００２０】
上記スピンドルモータ２は、軸線Ｌ回りに回転可能に支持されたロータ１０と、該ロータ１０に保持された環状の永久磁石１１と、該永久磁石１１の周囲を囲むように配されたステータコア１２と、励磁可能なコイル１３と、ステータコア１２の後述するコアバック（環状部）２０を支持するベース１４とを備えており、コイル１３と永久磁石１１との間に働く磁力により、ステータコア１２に対してロータ１０が軸線Ｌ回りに回転するようになっている。
【００２１】
上記ロータ１０は、カップ状に形成されており、外周面から半径方向外方に延びて形成されたフランジ部１５と、該フランジ部１５と共に上記永久磁石１１を保持するヨーク部１６と、ロータ１０の上面に軸線Ｌを中心として形成され、後述するシャフト４０が嵌合可能な嵌合孔１７とを備えている。また、上記嵌合部３は、ロータ１０の外周面に設けられている。
【００２２】
上記永久磁石１１は、周方向に直交する断面が矩形状になるように形成されており、その外周面１１ａが軸線Ｌに平行な方向に延びた面となっている。
上記ステータコア１２は、図１及び図２に示すように、永久磁石１１の周囲を囲むように配されたコアバック２０と、該コアバック２０に基端が固定されると共に永久磁石１１側に向かう半径方向に延出するよう形成され、軸線Ｌを中心として所定角度毎に複数設けられた歯極部２１と、該複数の歯極部２１の先端にそれぞれ略直角（Ｌ字状）に折り曲げられて形成され、永久磁石１１の外周面１１ａに対向する対向面２２ａを有する折曲部２２とを有している。
【００２３】
歯極部２１は、例えば、軸線Ｌ回りに角度４０度毎に９つ形成されている。そして、上記コイル１３は、この複数の歯極部２１にそれぞれ巻回されるようになっている。具体的には、３相（Ｕ相、Ｖ相、Ｗ相）となるように、３つおきに（間を２つあけて）コイル１３がそれぞれ電気的に接続されている。また、コイル１３間の渡り線は、コアバック２０に形成された係止部２０ａによって係止されている。
上記折曲部２２は、歯極部２１の幅より幅広に形成された状態で上記ハードディスクＨＤ側に向けて直角に折り曲げられている。また、折曲部２２は、対向面２２ａと永久磁石１１の外周面１１ａとの距離が一定となるように上面視円弧状に形成されている。
【００２４】
上記ベース１４には、図１に示すように、上記流体動圧軸受部４の後述するハウジング４１が嵌合するボス部２５が軸線Ｌ側に形成されていると共に、図３に示すように、コイル１３の断面面積より大きな開口面積を有する複数の貫通孔２６が形成されている。なお、本実施形態の貫通孔２６は、折曲部２２を下面側から見ることができる大きさに形成されている。
そして、ステータコア１２は、図１に示すように、コイル１３の一部、即ち、下面側がこの貫通孔２６内に配された（収容された）状態でベース１４に支持されている。
【００２５】
また、ステータコア１２のうち少なくとも折曲部２２とベース１４とが、非導電性の接着剤２７により接着固定されている。具体的に本実施形態においては、接着剤２７が貫通孔２６を塞ぐように設けられており、折曲部２２とベース１４とコイル１３とを一体的に接着固定している。また、コアバック２０とベース１４との間も同様に接着剤２７により接着されている。
なお、貫通孔２６を塞いだ接着剤２７は、表面が平坦となるように形成されており、ベース１４の下面から突出して該ベース１４の下面の平坦性に影響を与えないようになっている。
【００２６】
また、コイル１３とハードディスクＨＤとの間には、ステータコア１２、コイル１３及び永久磁石１１により形成される磁界がハードディスクＨＤ側に漏洩することを防ぐシールド板３０が配されている。このシールド板３０は、中央にロータ１０及び折曲部２２が貫通可能な貫通孔３０ａが形成された環状の円板であり、外周側端面がベース１４に固定されるよう形成されている。
【００２７】
上記流体動圧軸受部４は、シャフト４０と、該シャフト４０を収容するハウジング４１とを備えている。そして、シャフト４０は、ハウジング４１内に微小な隙間を空けて配されており、両者の間にはオイルＷが充填されている。
このシャフト４０は、上記軸線Ｌを中心として略円柱状に形成された軸体４２と、該軸体４２の外周面に半径方向外方に延びて形成された円板状のスラスト軸受板４３とで一体的に構成されている。このスラスト軸受板４３は、軸体４２の軸線Ｌ方向の略中間部分に形成されている。
また、軸体４２の下端（紙面に対して下側）側の外周面には、へリングボーン溝と呼ばれるラジアル動圧発生溝が複数形成されている。また、スラスト軸受板４３の外周面には、へリングボーン溝と呼ばれるスラスト動圧発生溝が複数形成されている。
【００２８】
上記ハウジング４１は、一端側が閉鎖され、他端側が開放された略円筒状のハウジング本体４５と、該ハウジング本体４５との間でスラスト軸受板４３を挟むアッパープレート４６とを有している。
また、ハウジング本体４５には、ラジアル動圧発生溝が形成された軸体４２の下端側を収容するラジアル収容部４７と、スラスト軸受板４３を収容するスラスト収容部４８とが形成されている。
アッパープレート４６は、略中央に軸体４２を貫通する貫通孔４６ａを有するリング状に形成されている。また、貫通孔４６ａは、スラスト軸受板４３側に向かって漸次径が小さくなるテーパ状に形成されている。これにより、貫通孔４６ａ内に通された軸体４２の外周面と貫通孔４６ａとの間に、外側に向かって間隔の広がる円環状のキャピラリーシールが形成される。このキャピラリーシールは、その形状とオイルＷの表面張力とにより、ハウジング４１とシャフト４０との間に充填されたオイルＷを外部に漏れないように保持するようになっている。
【００２９】
このように構成されたスピンドルモータ２及び記録媒体駆動装置１の動作について、以下に説明する。
まず、コイル１３に三相交流電流を供給してコイル１３に磁界（交番磁界）を発生させる。この磁界は、歯極部２１及び折曲部２２を介して永久磁石１１に作用して、ロータ１０を軸線Ｌ回りに回転させる。また、ハードディスクＨＤは、嵌合部３を介してロータ１０に嵌合保持されているので、ハードディスクＨＤがロータ１０の回転に伴って軸線Ｌ回りを一方向に向けて回転する。
特に、歯極部２１は、永久磁石１１の外周面１１ａに対向する対向面２２ａを有する折曲部２２を備えているので、磁束を受け渡す面積が大きい。そのため、スピンドルモータ２の回転トルクに寄与する磁束を増加させることができ、回転効率を向上させることができる。
【００３０】
一方、シャフト４０は、ロータ１０の嵌合孔１７に嵌合しているので、ロータ１０の回転に伴って同様に回転する。この際、シャフト４０に形成されたラジアル動圧発生溝及びスラスト軸受板４３に形成されたスラスト動圧発生溝により、シャフト４０とハウジング４１との間隙に動圧が発生する。シャフト４０の外周面に発生する動圧は、全周に亘って均一に発生するので、シャフト４０がハウジング４１の中心軸線（軸線Ｌ）位置にバランスして保持される。
また、スラスト軸受板４３の両端面に発生する動圧は、それぞれが略同一の動圧によってスラスト軸受板４３を厚さ方向に押圧するので、スラスト軸受板４３が、ハウジング４１とアッパープレート４６との間の軸線Ｌ方向における略中央位置にバランスして保持される。
このように、流体動圧軸受部４によってロータ１０を最適な状態で回転可能に支持できるので、ハードディスクＨＤを円滑且つ高精度に軸線Ｌ回りに回転させることができ、回転効率の向上化を図れる。
【００３１】
また、コイル１３及びステータコア１２とハードディスクＨＤとの間には、シールド板３０が配されているので、ステータコア１２、コイル１３からの磁束がハードディスクＨＤ側に漏洩することを極力防止することができる。よって、各種情報をハードディスクＨＤに記録する際に、該ハードディスクＨＤへの磁気的影響をなくすことができ、信頼性の向上を図ることができる。
【００３２】
特に、本実施形態のスピンドルモータ２は、複数のステータコア１２の折曲部２２が、接着剤２７によりそれぞれベース１４に固定されている。つまり、コアバック２０に片持ち状態で固定された各歯極部２１は、自由端である先端側が固定された状態となる。従って、ステータコア１２自体を極力薄く形成（単層化（１枚））したとしても、歯極部２１の反りや撓み等の変形を極力なくし、機械的強度を向上させることができる。
その結果、ステータコア１２全体の反りや撓み等の変形をなくして剛性を高めることができ、仮に外部からの衝撃等が加わったとしても、該衝撃によるステータコア１２の振動を防止することができる。また、ステータコア１２を極力薄く形成できるので、スピンドルモータ２全体の薄型化を図ることができると共に、高い剛性を確保できるので回転特性の向上化も図ることができる。
また、接着剤２７は非導電性であるので、磁束に影響がなく、回転効率に影響を与えることはない。
【００３３】
更に、ステータコア１２は、コイル１３の一部（下面）がベース１４に形成された貫通孔２６内に収容された状態でベース１４に支持されているので、コイル１３の影響を極力少なくして、ステータコア１２とベース１４との距離をできるだけ近接させることができる。よって、このことからもスピンドルモータ２全体の薄型化を図ることができる。特に、貫通孔２６を介して接着剤２７の注入や塗布も行うことができるので、製造が容易である。
【００３４】
ここで、具体的に接着剤２７の塗布方法について説明する。まず、ロータ１０と流体動圧軸受部４とを組み合わせた後、コアバック２０がベース１４に支持されるように、ステータコア１２をベース１４に組み込む。この際、歯極部２１に巻回されたコイル１３の下面が貫通孔２６内に収容されるようにステータコア１２の組み込みを行う。このように、コイル１３を貫通孔２６内に収容させることで、ステータコア１２を所定位置に確実に位置決めさせることができる。即ち、貫通孔２６とコイル１３とを、ステータコア１２を位置決めする指標として利用することができる。これにより、折曲部２２の対向面２２ａを、永久磁石１１の外周面１１ａに対して確実に対向配置させることができ、永久磁石１１とステータコア１２との間の磁束の受け渡しをより確実なものにすることができる。このことからも、回転効率を向上でき、信頼性を高めることができる。
【００３５】
次いで、ステータコア１２のコアバック２０とベース１４との間に接着剤２７を塗布し、ステータコア１２の仮固定を行う。仮固定後、全体を裏返しにして、貫通孔２６より接着剤２７を注入する。即ち、図３に示すように、貫通孔２６の外枠とコイル１３との間に接着剤２７を注入する。この注入により接着剤２７が広がって、折曲部２２とコイル１３とベース１４とを一体的に接着固定する。そして、最後に貫通孔２６を塞ぐように接着剤２７の塗布を行う。この際、ベース１４の下面の平坦性を損なわないように、接着剤２７を平坦に形成する。
【００３６】
このように貫通孔２６を介して接着剤２７を塗布することで、貫通孔２６を塞いだ状態で折曲部２２とコイル１３とベース１４とを一体的に容易に接着固定することができる。特に、コイル１３全体とベース１４とが接着固定されるので、コイル１３を介して歯極部２１全体がより強固にベース１４に固定される。よって、ステータコア１２の機械的強度がより向上して、ステータコア１２の反りや撓み等の発生をより防止することができる。また、接着剤２７により、貫通孔２６が塞がれるので該貫通孔２６を介して外部から内部に塵埃等が混入する恐れがない。そのため、品質を向上することができると共に、信頼性をより高めることができる。
【００３７】
上述したように、本実施形態のスピンドルモータ２によれば、ステータコア１２を極力薄く形成したとしても、接着剤２７による固定により、コアバック２０に片持ち状態で固定されている歯極部２１の機械的強度を向上させることができ、歯極部２１の反りや撓み等の変形を極力抑えることができる。その結果、ステータコア１２全体の変形をなくして剛性を高めることができ、仮にスピンドルモータ２に衝撃等が加わったとしても、該衝撃によるステータコア１２の振動を防止することができる。また、スピンドルモータ２全体の薄型化及び回転特性の向上を図ることができる。特に、１インチ未満のＨＤＤ用スピンドルモータで要求されるモータ高さを満足しつつ、機械的強度、回転特性に優れたスピンドルモータ２を得ることができる。
【００３８】
また、本実施形態の記録媒体駆動装置１は、上述したスピンドルモータ２を有しているので、装置全体の薄型化及び小型化を図ることができると共に、耐衝撃性を高めて信頼性の向上化を図ることができる。また、回転特性の良いスピンドルモータ２であるので、ハードディスクＨＤを高精度に回転させることができ、信頼性を向上することができる。
【００３９】
なお、本発明の技術範囲は上記実施の形態に限定されるものではなく、本発明の趣旨を逸脱しない範囲において種々の変更を加えることが可能である。
【００４０】
例えば、上記実施形態では、貫通孔２６を塞ぐように接着剤２７を設けた構成にしたが、この場合に限られず、少なくとも折曲部２２とベース１４とを接着剤２７で固定するように構成すれば構わない。こうすることで、自由端となる歯極部２１の先端側を固定できるので、歯極部２１の振動を効果的に抑えることができ、その結果、ステータコア１２全体の反りや撓み等を防止することができる。また、この際同時にコイル１３も一緒に接着固定すると良い。こうすることで、固定がより強固なものとなり、ステータコア１２の機械的強度をさらに向上することができる。
なお、これらの場合には、貫通孔２６に薄いシートを貼り付けることで、塵埃等を混入を防止することができる。
但し、より好ましくは、上記実施形態のように貫通孔２６を塞ぐように接着剤２７を塗布すると良い。こうすることで、上述したように接着固定がより強固なものになるだけでなく、塵埃等の混入も防止することできる。
【００４１】
また、上記実施形態では、歯極部２１を９つ形成し、３相交流電流を供給する例を示したが、歯極部２１の数は９つに限定されるものではない。また、上記実施形態では、ステータコア１２を１枚のプレートで構成したが、１枚に限られず、例えば、先端を略直角に折り曲げた折曲部２２を有する厚さの薄いプレートを２枚重ねて構成しても構わない。この場合は、折曲部２２の折り曲げ方向が互いに逆向きになるように、プレートを重ねれば良い。更に、ロータ１０を流体動圧軸受部４により回転可能に支持したが、動圧を利用せずに、単に回転可能に支持する軸受部でも構わない。
【図面の簡単な説明】
【００４２】
【図１】本発明に係るモータ及び記録媒体駆動装置の一実施形態を示す断面図である。
【図２】図１に示すモータのステータコアの上面図である。
【図３】図２に示すベースの貫通孔とコイルとの関係を示したベースの下面図である。
【符号の説明】
【００４３】
Ｌ    軸線
ＨＤ    ハードディスク（記録媒体）
１    記録媒体駆動装置
２    スピンドルモータ（モータ）
３    嵌合部（保持部）
４    流体動圧軸受部（軸受部）
１０    ロータ（軸体）
１１    永久磁石
１２    ステータコア
１３    コイル
１４    ベース
２０    コアバック（環状部）
２１    歯極部
２２    折曲部
２２ａ    対向面
２６    貫通孔
２７    接着剤
【図１】
2006271043.tif 000003
【図２】
2006271043.tif 000004
【図３】
2006271043.tif 000005